(57)【特許請求の範囲】
【請求項１】
棒金および束紙幣のうちの少なくともいずれか一方からなる収納物を入出庫可能な現金管理装置であって、
現金管理装置本体と、
前記収納物が立位状態で収納されるとともに前記現金管理装置本体に対してスライド開閉可能に設けられた収納庫と、
前記現金管理装置本体に固定されて、前記収納庫の開閉に伴って通過する前記収納物の上下方向の端部から貨幣検出情報を取得する貨幣検出部と、
前記収納物の数量マスタ情報を記憶する記憶部と、
前記貨幣検出情報と前記数量マスタ情報とを照合して前記収納庫における前記収納物の数量検出情報を取得する制御部と、
前記現金管理装置本体に固定されて前記収納庫の開閉位相情報を取得する位相検出部と、を備え、
前記制御部は、
前記開閉位相情報に基づいて前記貨幣検出情報を補正し、該補正された貨幣検出情報と前記数量マスタ情報とを照合して前記数量検出情報を取得し、
前記開閉位相情報に基づき前記収納庫が所定位置まで開庫されずに閉庫されたときに警告手段により警告するとともに、前記収納庫が前記所定位置まで再開庫された後に再閉庫されなければ前記警告を解除しないことを特徴とする現金管理装置。
【請求項２】
棒金および束紙幣のうちの少なくともいずれか一方からなる収納物を入出庫可能な現金管理装置であって、
現金管理装置本体と、
前記収納物が立位状態で収納されるとともに前記現金管理装置本体に対してスライド開閉可能に設けられた収納庫と、
前記現金管理装置本体に固定されて、前記収納庫の開閉に伴って通過する前記収納物の上下方向の端部から貨幣検出情報を取得する貨幣検出部と、
前記収納物の数量マスタ情報を記憶する記憶部と、
前記貨幣検出情報と前記数量マスタ情報とを照合して前記収納庫における前記収納物の数量検出情報を取得する制御部と、
前記現金管理装置本体に固定されて前記収納庫の開閉位相情報を取得する位相検出部と、を備え、
前記記憶部は、前記収納物の金種マスタ情報を記憶しており、
前記制御部は、
前記貨幣検出情報と前記金種マスタ情報とを照合して前記収納庫における前記収納物の金種検出情報を取得し、
前記開閉位相情報に基づいて前記貨幣検出情報を補正し、該補正された貨幣検出情報と、前記数量マスタ情報および前記金種マスタ情報とを照合して前記数量検出情報および前記金種検出情報を取得し、
前記開閉位相情報に基づき前記収納庫が所定位置まで開庫されずに閉庫されたときに警告手段により警告するとともに、前記収納庫が前記所定位置まで再開庫された後に再閉庫されなければ前記警告を解除しないことを特徴とする現金管理装置。
【請求項３】
前記収納庫には、金種毎に前記収納物の収納位置が規定されており、
前記制御部は、対応金種の前記収納位置に収納されていない異金種収納物を検出したときに警告手段により警告することを特徴とする請求項２記載の現金管理装置。
【請求項４】
さらに、入庫・出庫の区別情報と、前記収納庫に対し入出庫される前記収納物の数量入力情報および金種入力情報とからなる取引入力情報が入力される入力手段と、
前記取引入力情報および前記数量検出情報を表示する表示部と、を備え、
前記制御部は、前記収納庫に対し入庫および出庫の少なくとも一方を含む一の通常の開閉取引が行われると、前記数量検出情報を取得し、該数量検出情報から割り出される前記一の通常の開閉取引の数量実取引情報と、前記一の通常の開閉取引時に入力された前記数量入力情報とを照合し、差異が存在したときに警報手段により警報することを特徴とする請求項１記載の現金管理装置。
【請求項５】
さらに、入庫・出庫の区別情報と、前記収納庫に対し入出庫される前記収納物の数量入力情報および金種入力情報とからなる取引入力情報が入力される入力手段と、
前記取引入力情報、前記数量検出情報、および前記金種検出情報を表示する表示部と、を備え、
前記制御部は、前記収納庫に対し入庫および出庫の少なくとも一方を含む一の通常の開閉取引が行われると、前記数量検出情報および前記金種検出情報を取得し、当該数量検出情報および当該金種検出情報から割り出される前記一の通常の開閉取引の数量実取引情報および金種実取引情報と、前記一の通常の開閉取引時に入力された前記数量入力情報および前記金種入力情報とを照合し、差異が存在したときに警報手段により警報することを特徴とする請求項２または３記載の現金管理装置。
【請求項６】
前記制御部は、通常以外の開閉取引で前記収納庫の開庫が許可された場合であって、該開庫が許可された前記収納庫が開庫されて閉庫された際に、前記数量検出情報を取得し、当該数量検出情報と、当該開庫の直前の前記通常の開閉取引時に入力された前記数量入力情報から割り出される前記直前の通常の開閉取引後にあるべき前記収納物の数量割出情報とを照合し、差異が存在したときに警報手段により警報することを特徴とする請求項４に記載の現金管理装置。
【請求項７】
前記制御部は、通常以外の開閉取引で前記収納庫の開庫が許可された場合であって、該開庫が許可された前記収納庫が開庫されて閉庫された際に、前記数量検出情報および前記金種検出情報を取得し、当該数量検出情報および当該金種検出情報と、当該開庫の直前の前記通常の開閉取引時に入力された前記数量入力情報および前記金種入力情報から割り出される前記直前の通常の開閉取引後にあるべき前記収納物の数量割出情報および金種割出情報とを照合し、差異が存在したときに警報手段により警報することを特徴とする請求項５に記載の現金管理装置。
【請求項８】
前記制御部は、前記入力手段に前記取引入力情報が入力されることで、前記取引入力情報に対応する前記収納庫の開庫を許可することを特徴とする請求項４ないし７のいずれか一項記載の現金管理装置。
【請求項９】
さらに、前記収納庫のスライド開閉を駆動する駆動手段を有し、
前記制御部は、前記駆動手段を制御して前記収納庫の開閉を行うことを特徴とする請求項１ないし８のいずれか一項記載の現金管理装置。  
【発明の詳細な説明】
【技術分野】
【０００１】
本発明は、補充用の現金の管理に用いられる現金管理装置に関する。
【背景技術】
【０００２】
従来、人的ミスによって現金管理装置から出金した現金に違算が発生することを未然に防止する現金管理装置として、出納機への現金の補充と出納機からの現金の回収を行う移動可能な現金管理装置であって、出納機と情報の送受信を行う送受信手段を備え、現金を出金するときは、送受信手段により出納機から出金する現金の情報を受信して、その受信した現金の情報に基づいて現金を出金することを特徴とする現金管理装置がある（例えば特許文献１参照）。
【先行技術文献】
【特許文献】
【０００３】
【特許文献１】特開２００８−３１０５１９号公報（段落０００６，０００７）
【発明の概要】
【発明が解決しようとする課題】
【０００４】
本来現金管理装置から補充のために出金すべき現金と現金管理装置から実際に出金した現金とが一致していない場合があり、そのような場合には後の現金を集計したときに差異がでて、それにより集計のやり直し等を行う必要が生じるが、このような問題を解決し、現金管理の厳正化を図るために特許文献１記載の現金管理装置が開示されている。
【０００５】
特許文献１記載の現金管理装置によれば現金管理の厳正化が図れるものの、現金管理装置から出金するに際し、その出金に対応する装置、例えば出納機の側に現金管理装置を移動させ、さらに連結部を介して連結させる必要があり、現金管理装置を出納機から離れた任意の場所で運用するには適さない可能性があった。
【０００６】
本発明は、上記の点に鑑みなされたもので、現金管理装置を任意の場所で運用した場合であっても、現金管理の厳正化および業務効率の向上を図ることができる現金管理装置の提供を目的とする。
【課題を解決するための手段】
【０００７】
上記目的を達成するために、請求項１，２に係る発明は、棒金および束紙幣のうちの少なくともいずれか一方からなる収納物を入出庫可能な現金管理装置であって、現金管理装置本体と、前記収納物が立位状態で収納されるとともに前記現金管理装置本体に対してスライド開閉可能に設けられた収納庫と、前記現金管理装置本体に固定されて、前記収納庫の開閉に伴って通過する前記収納物の上下方向の端部から貨幣検出情報を取得する貨幣検出部と、前記収納物の数量マスタ情報を記憶する記憶部と、前記貨幣検出情報と前記数量マスタ情報とを照合して前記収納庫における前記収納物の数量検出情報を取得する制御部と、を備えてなることを特徴とする。
【０００８】
請求項１に係る発明は、さらに、前記現金管理装置本体に固定されて前記収納庫の開閉位相情報を取得する位相検出部を有し、前記制御部は、前記開閉位相情報に基づいて前記貨幣検出情報を補正し、該補正された貨幣検出情報と前記数量マスタ情報とを照合して前記数量検出情報を取得することを特徴とする。
【０００９】
請求項１に係る発明は、前記制御部は、前記開閉位相情報に基づき前記収納庫が所定位置まで開庫されずに閉庫されたときに警告手段により警告するとともに、前記収納庫が前記所定位置まで再開庫された後に再閉庫されなければ前記警告を解除しないことを特徴とする。
【００１０】
請求項２に係る発明は、前記記憶部は、前記収納物の金種マスタ情報を記憶しており、前記制御部は、前記貨幣検出情報と前記金種マスタ情報とを照合して前記収納庫における前記収納物の金種検出情報を取得することを特徴とする。
【００１１】
請求項２に係る発明は、さらに、前記現金管理装置本体に固定されて前記収納庫の開閉位相情報を取得する位相検出部を有し、前記制御部は、前記開閉位相情報に基づいて前記貨幣検出情報を補正し、該補正された貨幣検出情報と、前記数量マスタ情報および前記金種マスタ情報とを照合して前記数量検出情報および前記金種検出情報を取得することを特徴とする。
【００１２】
請求項２に係る発明は、前記制御部は、前記開閉位相情報に基づき前記収納庫が所定位置まで開庫されずに閉庫されたときに警告手段により警告するとともに、前記収納庫が前記所定位置まで再開庫された後に再閉庫されなければ前記警告を解除しないことを特徴とする。
【００１３】
請求項３に係る発明は、請求項２に係る発明において、前記収納庫には、金種毎に前記収納物の収納位置が規定されており、前記制御部は、対応金種の前記収納位置に収納されていない異金種収納物を検出したときに警告手段により警告することを特徴とする。
【００１４】
請求項４に係る発明は、請求項１に係る発明において、さらに、入庫・出庫の区別情報と、前記収納庫に対し入出庫される前記収納物の数量入力情報および金種入力情報とからなる取引入力情報が入力される入力手段と、前記取引入力情報および前記数量検出情報を表示する表示部と、を備え、前記制御部は、前記収納庫に対し入庫および出庫の少なくとも一方を含む一の通常の開閉取引が行われると、前記数量検出情報を取得し、該数量検出情報から割り出される前記一の通常の開閉取引の数量実取引情報と、前記一の通常の開閉取引時に入力された前記数量入力情報とを照合し、差異が存在したときに警報手段により警報することを特徴とする。
【００１５】
請求項５に係る発明は、請求項２または３に係る発明において、さらに、入庫・出庫の区別情報と、前記収納庫に対し入出庫される前記収納物の数量入力情報および金種入力情報とからなる取引入力情報が入力される入力手段と、前記取引入力情報、前記数量検出情報、および前記金種検出情報を表示する表示部と、を備え、前記制御部は、前記収納庫に対し入庫および出庫の少なくとも一方を含む一の通常の開閉取引が行われると、前記数量検出情報および前記金種検出情報を取得し、当該数量検出情報および当該金種検出情報から割り出される前記一の通常の開閉取引の数量実取引情報および金種実取引情報と、前記一の通常の開閉取引時に入力された前記数量入力情報および前記金種入力情報とを照合し、差異が存在したときに警報手段により警報することを特徴とする。
【００１６】
請求項６に係る発明は、請求項４に係る発明において、前記制御部は、通常以外の開閉取引で前記収納庫の開庫が許可された場合であって、該開庫が許可された前記収納庫が開庫されて閉庫された際に、前記数量検出情報を取得し、当該数量検出情報と、当該開庫の直前の前記通常の開閉取引時に入力された前記数量入力情報から割り出される前記直前の通常の開閉取引後にあるべき前記収納物の数量割出情報とを照合し、差異が存在したときに警報手段により警報することを特徴とする。
【００１７】
請求項７に係る発明は、請求項５に係る発明において、前記制御部は、通常以外の開閉取引で前記収納庫の開庫が許可された場合であって、該開庫が許可された前記収納庫が開庫されて閉庫された際に、前記数量検出情報および前記金種検出情報を取得し、当該数量検出情報および当該金種検出情報と、当該開庫の直前の前記通常の開閉取引時に入力された前記数量入力情報および前記金種入力情報から割り出される前記直前の通常の開閉取引後にあるべき前記収納物の数量割出情報および金種割出情報とを照合し、差異が存在したときに警報手段により警報することを特徴とする。
【００１８】
請求項８に係る発明は、請求項４ないし７のいずれか一項に係る発明において、前記制御部は、前記入力手段に前記取引入力情報が入力されることで、前記取引入力情報に対応する前記収納庫の開庫を許可することを特徴とする。
【００１９】
請求項９に係る発明は、請求項１ないし８のいずれか一項に係る発明において、さらに、前記収納庫のスライド開閉を駆動する駆動手段を有し、前記制御部は、前記駆動手段を制御して前記収納庫の開閉を行うことを特徴とする。  
【発明の効果】
【００２０】
請求項１，２に係る発明によれば、現金管理装置本体に対して収納庫をスライド開閉すると、現金管理装置本体に固定された貨幣検出部が、収納庫の開閉に伴って通過する収納物の上下方向の端部から貨幣検出情報を取得することになり、制御部が、この貨幣検出情報と記憶部に記憶された数量マスタ情報とを照合して収納庫における収納物の数量検出情報を取得することになる。よって、他の装置を介在させることなく、任意の場所で現金管理の厳正化および業務効率の向上を図ることができる。また、収納庫には収納物が立位状態で収納されるため、棒金および束紙幣のうちの少なくともいずれか一方からなる収納物を効率良く収納庫に収納することができることになり、収納物の上下方向の端部から貨幣検出部が貨幣検出情報を取得するため、立位状態で収納された収納物を効率良く検出することができる。
【００２１】
請求項１に係る発明によれば、制御部が、現金管理装置本体に固定された位相検出部が検出する収納庫の開閉位相情報に基づいて貨幣検出情報を補正し、この補正された貨幣検出情報と数量マスタ情報とを照合して数量検出情報を取得するため、収納庫の開閉速度に関わらず、収納物の数量情報を検出できる。
【００２２】
手動で収納庫を開庫する場合、収納物が収納される可能性のある領域全てが貨幣検知部を通過する必要があり、途中で開庫を停止し閉庫したとき等は正確な情報検出ができなくなってしまうことになるが、請求項１に係る発明によれば、制御部が、開閉位相情報に基づき収納庫が所定位置まで開庫されずに閉庫されたときに警告手段により警告することで、収納庫の収納物が収納される可能性のある領域全てが貨幣検知部を通過するまで収納庫が開庫されずに閉庫したときに警告することができ、情報検出漏れを防止できる。
【００２３】
請求項２に係る発明によれば、貨幣検出部が、収納庫の開閉に伴って通過する収納物の上下方向の端部から貨幣検出情報を取得すると、制御部が、この貨幣検出情報と、記憶部に記憶された数量マスタ情報および金種マスタ情報とを照合して収納庫における収納物の数量検出情報および金種検出情報を取得することになる。よって、収納物の金種情報も取得できるため、さらなる現金管理の厳正化および業務効率の向上を図ることができる。
【００２４】
請求項２に係る発明によれば、制御部が、現金管理装置本体に固定された位相検出部が検出する収納庫の開閉位相情報に基づいて貨幣検出情報を補正し、この補正された貨幣検出情報と数量マスタ情報および金種マスタ情報とを照合して数量検出情報および金種検出情報を取得するため、収納庫の開閉速度に関わらず、収納物の数量情報および金種情報を検出できる。
【００２５】
手動で収納庫を開庫する場合、収納物が収納される可能性のある領域全てが貨幣検知部を通過する必要があり、途中で開庫を停止し閉庫したとき等は正確な情報検出ができなくなってしまうことになるが、請求項２に係る発明によれば、制御部が、開閉位相情報に基づき収納庫が所定位置まで開庫されずに閉庫されたときに警告手段により警告することで、収納庫の収納物が収納される可能性のある領域全てが貨幣検知部を通過するまで収納庫が開庫されずに閉庫したときに警告することができ、情報検出漏れを防止できる。
【００２６】
請求項３に係る発明によれば、制御部が、対応金種の収納位置に収納されていない異金種収納物を検出したときに警告手段により警告するため、異金種収納物の存在を締上げ処理前に発見でき、操作ミスを未然に防止できる。
【００２７】
請求項４に係る発明によれば、制御部は、収納庫に対し入庫および出庫の少なくとも一方を含む一の通常の開閉取引が行われると、数量検出情報を取得し、この数量検出情報から割り出される前記一の通常の開閉取引の数量実取引情報と、前記一の通常の開閉取引時に入力された数量入力情報とを照合し、差異が存在したときに警報手段により警報するため、操作ミスを速やかに発見し報知することができる。
【００２８】
請求項５に係る発明によれば、制御部は、収納庫に対し入庫および出庫の少なくとも一方を含む一の通常の開閉取引が行われると、数量検出情報および金種検出情報を取得し、これらの数量検出情報および金種検出情報から割り出される前記一の通常の開閉取引の数量実取引情報および金種実取引情報と、前記一の通常の開閉取引時に入力された数量入力情報および金種入力情報とを照合し、差異が存在したときに警報手段により警報するため、操作ミスを速やかに発見し報知することができる。
【００２９】
請求項６に係る発明によれば、制御部は、通常以外の開閉取引で収納庫の開庫が許可された場合であって、該開庫が許可された収納庫が開庫されて閉庫された際に、数量検出情報を取得し、当該数量検出情報と、当該開庫の直前の通常の開閉取引時に入力された数量入力情報から割り出される直前の通常の開閉取引後にあるべき収納物の数量割出情報とを照合し、差異が存在したときに警報手段により警報するため、復旧操作ミスを速やかに発見し報知することができる。
【００３０】
請求項７に係る発明によれば、制御部は、通常以外の開閉取引で収納庫の開庫が許可された場合であって、該開庫が許可された収納庫が開庫されて閉庫された際に、数量検出情報および金種検出情報を取得し、これら数量検出情報および金種検出情報と、開庫の直前の通常の開閉取引時に入力された数量入力情報および金種入力情報から割り出される直前の通常の開閉取引後にあるべき収納物の数量割出情報および金種割出情報とを照合し、差異が存在したときに警報手段により警報するため、復旧操作ミスを速やかに発見し報知することができる。
【００３１】
請求項８に係る発明によれば、入力手段に取引入力情報が入力されることで、取引入力情報に対応する収納庫の開庫を許可するため、取引入力情報に対応しない収納庫が開庫されてしまうこと等の操作ミスを未然に防止できる。
【００３２】
請求項９に係る発明によれば、制御部が駆動手段を制御して収納庫の開閉を行うため、不完全開庫等による情報検出漏れを未然に防止できる。
【図面の簡単な説明】
【００３３】
【図１】本発明の第１実施形態に係る現金管理装置を示すもので、（ａ）は正面図、（ｂ）は側面図である。
【図２】本発明の第１実施形態に係る現金管理装置の束収納庫と現金管理装置本体に配置されるラインセンサとの対応関係を示す平面図である。
【図３】本発明の第１実施形態に係る現金管理装置の棒金収納庫と現金管理装置本体に配置される磁気センサとの対応関係を示す平面図である。
【図４】本発明の第２実施形態に係る現金管理装置の束収納庫と現金管理装置本体に配置される反射センサとの対応関係を示す平面図である。
【図５】本発明の第２実施形態に係る現金管理装置の棒金収納庫と現金管理装置本体に配置される反射センサとの対応関係を示す平面図である。
【発明を実施するための形態】
【００３４】
本発明の第１実施形態に係る現金管理装置を図１〜図３を参照して以下に説明する。
【００３５】
図１に示す第１実施形態に係る現金管理装置１１は、銀行等の金融機関の店舗の担当者側スペースに設置されて担当者により取り扱われるものであり、図２に示す単一金種の紙幣ｓが所定枚数集積されて結束テープｔで結束されてなる束紙幣（収納物）Ｔ、および図３に示す単一金種の硬貨が所定枚数集積されて包装紙で包装されてなる棒金（収納物）Ｂを入出庫可能に収納するものである。
【００３６】
図１に示すように、現金管理装置１１は、箱型の現金管理装置本体１２と、この現金管理装置本体１２の上部側にスライド開閉可能に設けられた予備貨幣等収納庫１３と、現金管理装置本体１２における予備貨幣等収納庫１３の下側にスライド開閉可能に設けられた上下に複数段（具体的には二段）の束収納庫（収納庫）１４と、現金管理装置本体１２における束収納庫１４の下側にスライド開閉可能に設けられた上下に複数段（具体的には二段）の棒金収納庫（収納庫）１５とを有している。予備貨幣等収納庫１３は、結束されていない紙幣、包装されていない硬貨、汚損紙幣や汚損硬貨等を収納するものである。
【００３７】
現金管理装置本体１２の上端部には、操作者により操作入力がなされる操作入力部（入力手段）１６と、操作者に対して視覚的および聴覚的に表示を行う表示部（警告手段，警報手段）１７と、現金管理装置１１を制御する制御部１８と、収納している棒金Ｂおよび束紙幣Ｔの数量情報および金種情報や制御用データを記憶する記憶部１９とが設けられている。
【００３８】
束収納庫１４は、束紙幣Ｔを収納するものである。束収納庫１４は、それぞれ、底部２０と底部２０の外縁部から上方に延出する枠状の囲壁部２１とを有する上方開口形状をなしていて、囲壁部２１の左右側壁に設けられたスライドレール２２を介して現金管理装置本体１２に前後方向にのみ所定範囲で移動可能となるように連結されている。
【００３９】
束収納庫１４内には、図２に示すように、合成樹脂製のトレイ２４が固定されており、このトレイ２４には、束紙幣Ｔを立位状態で収納可能な左右二カ所の束収納凹部２５が、下方に凹む上方開口形状に形成されている。つまり、トレイ２４は、前壁２６と、後壁２７と、左右両側の一対の側壁２８と、一対の側壁２８間の仕切壁２９と、一対の底部３０とを有しており、前壁２６、後壁２７、一方の側壁２８および仕切壁２９と、これらで囲まれた部分の下部を閉塞する一方の底部３０とで一方の束収納凹部２５を形成し、前壁２６、後壁２７、他方の側壁２８および仕切壁２９と、これらで囲まれた部分の下部を閉塞する他方の底部３０とで、他方の束収納凹部２５を形成している。
【００４０】
各束収納凹部２５には、前壁２６と平行をなす束押さえ板３３が図示略の個別のスライド機構によって前後移動可能に設けられている。各束押さえ板３３は、それぞれ図示略のスプリングにより前壁２６に近接する方向に個別に付勢されている。
【００４１】
そして、束収納庫１４の各束収納凹部２５には、それぞれ複数の束紙幣Ｔが収納可能となっている。束紙幣Ｔは、束収納凹部２５にその上部開口を介して上方から挿入されることになり、その際に、束紙幣Ｔは、立位状態で長手方向を左右に向けた姿勢で、前壁２６と束押さえ板３３との間に挿入されることになる。挿入された束紙幣Ｔは、一つまたは複数のものが前後方向に順次集積されるようにして底部３０上に載置されることになり、この状態で前壁２６と束押さえ板３３とで挟持されて立位状態に維持される。
【００４２】
ここで、複数の束収納庫１４の各束収納凹部２５は、それぞれ収納する束紙幣Ｔの金種が、一つの束収納凹部２５に対して所定の単一金種と決められており、左右方向の幅が収納する金種の束紙幣Ｔの長さより若干広くなっている。言い換えれば、束収納庫１４には、束紙幣Ｔの収納位置である束収納凹部２５が金種毎に規定されている。よって、各束収納凹部２５には、設定金種以外の長さの長い金種の束紙幣Ｔは、適正な収納が困難となり、これにより、一部の誤収納を簡易的に規制するようになっている。また、各束収納凹部２５の近傍となる前壁２６の上面には、図示は略すがそれぞれ収納対象の金種が目視可能に明示されている。なお、各束収納凹部２５の収納金種データは記憶部１９に記憶されている。
【００４３】
また、各束収納凹部２５の底部３０は、束収納凹部２５に規定金種の束紙幣Ｔが収納されると、収納された束紙幣Ｔの上端部の高さを同じ束収納庫１４内で一定にするように高さが設定されている。底部３０は、高さが低い束紙幣Ｔを収納する束収納凹部２５においては高く、高さが高い束紙幣Ｔを収納する束収納凹部２５においては低い凹凸形状となっている。よって、各束収納凹部２５には、設定金種以外の高さの高い金種の束紙幣Ｔは、適正な収納が困難となり、これによっても、一部の誤収納を簡易的に規制するようになっている。なお、日本国内で流通する紙幣の場合は、全種類、短手方向長さが一定であり収納時の高さが一定であることから、底部３０の高さも一定となる。
【００４４】
図１に示すように、複数の束収納庫１４のそれぞれの囲壁部２１の側部には、前後方向に沿ってラックギヤ３６が固定されており、現金管理装置本体１２の前端部には、このラックギヤ３６に噛み合うことでラックギヤ３６の移動で回転するピニオンギヤ３７を有するロータリエンコーダ（位相検出部）３８が固定されている。ロータリエンコーダ３８はピニオンギヤ３７の回転データである個別の束収納庫１４の開閉位相データ（開閉位相情報）を取得する。制御部１８は、この開閉位相データから束収納庫１４の開閉方向の位置を割り出すことになり、移動量を時間で除算することで束収納庫１４の開閉速度を割り出すことになる。
【００４５】
複数の束収納庫１４のそれぞれの前面には、ロック解除時のみ点灯する表示灯４０が設けられている。
【００４６】
現金管理装置本体１２には、複数の束収納庫１４のそれぞれに対して、束収納庫１４を閉状態で個別にロックするロック機構４１が設けられている。ロック機構４１は、束収納庫１４が操作者により閉作動されて閉状態になると自動的かつ機械的にこの束収納庫１４を現金管理装置本体１２に対し閉状態にロックする一方、電気的に駆動されると束収納庫１４の閉状態でのロックを解除してその開作動を許容する。
【００４７】
現金管理装置本体１２の前端部には、一方の束収納庫１４の上部位置に、光学反射型のラインセンサ（貨幣検出部）４４が水平左右方向に延在する姿勢で固定されている。このラインセンサ４４は、図２に示すように、対応する束収納庫１４の左右の束収納凹部２５の全体を左右両側に越える長さを有している。また、現金管理装置本体１２の前端部には、他方の束収納庫１４の上部位置にも、光学反射型のラインセンサ（貨幣検出部）４４が水平左右方向に延在する姿勢で、この他方の束収納庫１４の左右の束収納凹部２５の全体を左右両側に越えるように固定されている。
【００４８】
これらのラインセンサ４４は、各発光素子が検出方向を下方に向けており、下方に発光した光の下方からの反射光を対応する受光素子で受光するようになっている。その結果、上側の束収納庫１４の上部位置に設けられたラインセンサ４４は、真下で前後にスライドする上側の束収納庫１４の各束収納凹部２５に収納された束紙幣Ｔの上端部の反射光データである貨幣検出反射データ（貨幣検出情報）を取得することになり、下側の束収納庫１４の上部位置に設けられたラインセンサ４４は、真下で前後にスライドする下側の束収納庫１４の各束収納凹部２５に収納された束紙幣Ｔの上端部の反射光データである貨幣検出反射データを取得することになる。
【００４９】
なお、検出対象となる束収納庫１４が最も現金管理装置本体１２から引き出されて図示略の前端位置ストッパに当接し停止する前端位置から最も現金管理装置本体１２に押し込まれて図示略の後端位置ストッパに当接し停止する後端位置まで移動すると、各ラインセンサ４４は、検出対象となる束収納庫１４の各束収納凹部２５の全範囲を検出できるようになっている。ラインセンサ４４は、束収納庫１４の開閉に伴って通過する、この束収納庫１４内のすべての束紙幣Ｔの上端部から貨幣検出反射データを取得する。
【００５０】
ここで、束紙幣Ｔには、一束ずつに結束テープｔが巻回されており、この結束テープｔが上端部にも存在することから、制御部１８は、ラインセンサ４４の貨幣検出反射データから、反射率が高くなる結束テープｔと、結束テープｔが巻回されず反射率が低くなる紙幣ｓと、紙幣ｓもなく反射率がさらに低くなる他の部分（空間、前壁２６、後壁２７、側壁２８、仕切壁２９および束押さえ板３３）とを区別することになる。また、制御部１８は、隣り合う束紙幣Ｔの結束テープｔと結束テープｔとの間の反射率が低くなる部分や、隣り合う束紙幣Ｔの結束テープｔと紙幣ｓとの間の反射率が低くなる部分を検出することで、隣り合う束紙幣Ｔの間部分を検出する。なお、束紙幣Ｔの収納時において、結束テープｔの左右方向の位置は、必ずしも所定の一側に予め決める必要はなく、図２に二点鎖線で示すように左右方向逆側になることもある。
【００５１】
そして、制御部１８は、ラインセンサ４４の貨幣検出反射データをロータリエンコーダ３８の開閉位相データに基づいて、例えば所定の一定開閉速度での貨幣検出反射データに補正し、この補正された貨幣検出反射データと、記憶部１９に記憶された数量マスタデータ（数量マスタ情報）とを照合することで、ラインセンサ４４で検出した、束収納庫１４内の束紙幣Ｔの数量である数量検出データ（数量検出情報）を取得する。例えば、補正後の貨幣検出反射データの中で、一つの結束テープｔと判断できる、数量マスタデータの結束テープ判断基準光量データ以上の光量があり且つ数量マスタデータの結束テープ判断基準面積データ以上の纏まった面積を有する結束テープ部分を数えて、これを束紙幣Ｔの数量である数量検出データとする。勿論、制御部１８は、貨幣検出反射データを、仕切壁２９で両側の束収納凹部２５のそれぞれの領域に区分することになり、束紙幣Ｔの数量検出データを各束収納凹部２５毎に取得する。
【００５２】
また、制御部１８は、補正後の貨幣検出反射データと、記憶部１９に記憶された金種マスタデータ（金種マスタ情報）とを照合することで、ラインセンサ４４で検出した、束収納庫１４内の束紙幣Ｔの金種である金種検出データ（金種検出情報）を各束収納凹部２５毎に取得する。例えば、補正後の貨幣検出反射データの中で、上記のように検出した結束テープ部分のそれぞれについて、結束テープ部分と前後方向位置が同じ部分のデータから、光量が金種マスタデータの紙幣判断基準光量データ以上となる部分と未満となる部分との境界位置を割り出し、左右両側の境界位置間の長さを、金種マスタデータの金種基準長さデータと比較して、許容範囲内で一致する金種基準長さデータに対応する金種を、この結束テープ部分に対応する束紙幣Ｔの金種とする金種検出データを取得する金種判断を行う。
【００５３】
なお、制御部１８は、ラインセンサ４４で検出される両側の束収納凹部２５のそれぞれについて、規定の金種以外の金種の束紙幣Ｔが収納されていること、つまり対応金種の収納位置に収納されていない異金種束紙幣Ｔを検出すると、表示部１７に警告表示を行わせる。
【００５４】
棒金収納庫１５は、棒金Ｂを収納するものである。棒金収納庫１５は、図１に示すように、それぞれ、底部５０と底部５０の外縁部から上方に延出する枠状の囲壁部５１とを有する上方開口形状をなしていて、囲壁部５１の左右側壁に設けられたスライドレール５２を介して現金管理装置本体１２に前後方向にのみ所定範囲で移動可能となるように連結されている。棒金収納庫１５内には、図３に示すように、合成樹脂製のトレイ５４が固定されており、トレイ５４には、棒金Ｂを立位状態で収納可能な複数の棒金収納凹部５５が形成されている。棒金収納凹部５５は、有底円筒状で下方に凹む上方開口形状をなしている。棒金収納凹部５５は、左右方向の位置を合わせて前後に所定の間隔で一列状に形成され、このような棒金収納凹部５５の列が左右方向に所定の間隔で複数列形成されている。
【００５５】
そして、棒金収納庫１５の各棒金収納凹部５５には、それぞれ一本のみ棒金Ｂが収納されることになる。棒金Ｂは、棒金収納凹部５５に、その上部開口を介して上方から挿入されることになり、棒金収納凹部５５の内周面で支持されて中心軸線を鉛直配置した立位状態に維持される。
【００５６】
ここで、各棒金収納凹部５５は、それぞれ収納する棒金Ｂの金種が、一の棒金収納凹部５５に対して所定の単一金種と、決められており、直径が収納する金種の棒金Ｂの直径より若干大径となっている。言い換えれば、棒金収納庫１５には、金種毎に棒金Ｂの収納位置である棒金収納凹部５５が規定されている。よって、各棒金収納凹部５５には、設定金種以外の直径の大きい金種の棒金Ｂは、適正な収納が困難となり、これにより、一部の誤収納を簡易的に規制するようになっている。また、前後方向に並ぶ同列の棒金収納凹部５５にはすべて所定の単一金種が収納されるように設定されている。なお、各棒金収納凹部５５の高さは、収納した棒金Ｂを取り出し容易とすべく上方に突出させるように設定されている。
【００５７】
また、各棒金収納凹部５５の底部５６は規定の棒金Ｂが収納されると、収納された棒金Ｂの上端部の高さを同じ棒金収納庫１５内で一定にするようになっている。つまり、底部５６は、高さが低い棒金Ｂを収納する棒金収納凹部５５においては高く、高さが高い棒金Ｂを収納する棒金収納凹部５５においては低い凹凸形状となっている。よって、各棒金収納凹部５５には、設定金種以外の高さの高い金種の棒金Ｂは、収納困難となり、これによっても、一部の誤収納を簡易的に規制するようになっている。さらに、各棒金収納凹部５５の底部５６は、後述する磁気センサ７０と収納された棒金Ｂの上端部との距離が所定の近接距離になるように配置されている。また、各棒金収納凹部５５の近傍には、図示は略すがそれぞれ収納対象の金種が明示されている。
【００５８】
図１に示すように、複数の棒金収納庫１５のそれぞれの囲壁部５１の側部には、前後方向に沿ってラックギヤ６０が固定されており、現金管理装置本体１２の前端部には、このラックギヤ６０に噛み合うことでラックギヤ６０の移動で回転するピニオンギヤ６１を有するロータリエンコーダ（位相検出部）６２が固定されている。ロータリエンコーダ６２はピニオンギヤ６１の回転データである棒金収納庫１５の開閉位相データ（開閉位相情報）を取得する。制御部１８は、この開閉位相データから棒金収納庫１５の開閉方向の位置を割り出すことになり、移動量を時間で除算することで棒金収納庫１５の開閉速度を割り出すことになる。
【００５９】
複数の棒金収納庫１５のそれぞれの前面には、ロック解除時のみ点灯する表示灯６５が設けられている。
【００６０】
現金管理装置本体１２には、複数の棒金収納庫１５のそれぞれに対して、棒金収納庫１５を閉状態で個別にロックするロック機構６８が設けられている。ロック機構６８は、棒金収納庫１５が操作者により閉作動されて閉状態になると自動的かつ機械的にこの棒金収納庫１５を閉状態にロックする一方、電気的に駆動されると棒金収納庫１５の閉状態でのロックを解除してその開作動を許容する。
【００６１】
現金管理装置本体１２の前端部には、一方の棒金収納庫１５の上部位置に、磁気センサ７０が固定されている。図３に示すように、磁気センサ７０は、対応する棒金収納庫１５の棒金収納凹部５５の各列と左右方向の位置を合わせて、各列に一つずつ設けられている。これら複数の磁気センサ７０は同じ高さとなるように現金管理装置本体１２に固定されている。また、現金管理装置本体１２の前端部には、他方の棒金収納庫１５の上部位置にも、この棒金収納庫１５の棒金収納凹部５５の各列と左右方向の位置を合わせて、各列に一つずつ磁気センサ７０が、同じ高さに固定されて設けられている。
【００６２】
これらの磁気センサ７０は、検出方向を下方に向けており、下方の磁気データを検出するようになっている。その結果、上側の棒金収納庫１５の上部位置に設けられた複数の磁気センサ７０は、それぞれが、真下で前後にスライドする上側の棒金収納庫１５の同列の棒金収納凹部５５に収納された棒金Ｂの上端部の磁気データである貨幣検出磁気データ（貨幣検出情報）を順次取得することになり、下側の棒金収納庫１５の上部位置に設けられた複数の磁気センサ７０は、それぞれが、真下で前後にスライドする下側の棒金収納庫１５の同列の棒金収納凹部５５に収納された棒金Ｂの上端部の磁気データである貨幣検出磁気データを順次取得することになる。ここで、各棒金収納凹部５５の収納金種のデータは記憶部１９に記憶されている。
【００６３】
なお、検出対象となる棒金収納庫１５が最も現金管理装置本体１２から引き出されて図示略の前端位置ストッパに当接し停止する前端位置から最も現金管理装置本体１２に押し込まれて図示略の後端位置ストッパに当接し停止する後端位置まで移動すると、複数の磁気センサ７０によって、検出対象となる棒金収納庫１５のすべての棒金収納凹部５５の棒金Ｂの磁気データを検出できるようになっている。つまり、磁気センサ７０は、棒金収納庫１５の開閉に伴って通過する棒金Ｂの上端部から貨幣検出磁気データを取得する。
【００６４】
ここで、すべての金種の硬貨は金属からなっているため、制御部１８は、合成樹脂製のトレイ５４や空間部と、棒金Ｂとを、磁気センサ７０の貨幣検出磁気データから区別し、また、硬貨は金種毎に外径および材質の少なくともいずれか一方が異なるため、制御部１８は、磁気センサ７０の貨幣検出磁気データから各棒金Ｂの金種も識別する。
【００６５】
そして、制御部１８は、磁気センサ７０の貨幣検出磁気データをロータリエンコーダ６２の開閉位相データに基づいて、例えば所定の一定開閉速度での貨幣検出磁気データに補正し、この補正された貨幣検出磁気データと、記憶部１９に記憶された数量マスタデータ（数量マスタ情報）とを照合することで、磁気センサ７０で検出した、棒金収納庫１５内の各棒金収納凹部５５の棒金Ｂの数量検出データ（数量検出情報）を取得する。例えば、補正後の貨幣検出磁気データの中で、所定の棒金収納凹部５５の位置に、一つの棒金Ｂと判断できる、数量マスタデータの磁気基準データ以上の出力データが数量マスタデータの棒金径基準データ以上連続する検出長さを有する棒金部分を検出し、この棒金部分を計数することで、数量検出データを取得する。
【００６６】
また、制御部１８は、補正後の貨幣検出磁気データと、記憶部１９に記憶された金種マスタデータ（金種マスタ情報）とを照合することで、磁気センサ７０で検出した、棒金収納庫１５内の棒金Ｂの金種である金種検出データ（金種検出情報）を各棒金収納凹部５５毎に取得する。例えば、補正後の貨幣検出磁気データの中で、上記のように検出した棒金部分のそれぞれについて、出力値が金種マスタデータの出力値の基準データと許容範囲内で一致し且つ検出長さが金種マスタデータの検出長さの基準データと許容範囲内で一致する金種を割り出し、この棒金部分に対応する棒金Ｂの金種検出データを得る金種判断を行う。
【００６７】
なお、制御部１８は、複数の磁気センサ７０のそれぞれで検出される各棒金収納凹部５５の棒金Ｂについて、規定の金種以外の金種の棒金Ｂが収納されていること、つまり対応金種の収納位置に収納されていない異金種棒金Ｂを検出すると、表示部１７に警告を行わせる。
【００６８】
以上の構成の第１実施形態に係る現金管理装置１１においては、担当者が、他の入出金機に補充する等の目的で棒金Ｂおよび束紙幣Ｔのうちの少なくともいずれか一方を取り出す出庫時、現金管理装置１１に棒金Ｂおよび束紙幣Ｔのうちの少なくともいずれか一方を収納する入庫時、および入庫と出庫とを同時に行う時には、まず、一の入出庫取引の開始にあたって、現金管理装置１１の操作入力部１６に担当者識別データを入力する。すると、制御部１８が、この入力された担当者識別データと一致するデータが記憶部１９に予め記憶された担当者識別のマスタデータにあるか否かを判定し、マスタデータにない場合、表示部１７にその旨の警告を発生させる。
【００６９】
入力された担当者識別データと一致するデータがマスタデータにある場合、制御部１８は、日時情報を含むこの一の入出庫取引の取引識別データを設定するとともに、束収納庫１４に対し入出庫される束紙幣Ｔおよび棒金収納庫１５に対し入出庫される棒金Ｂのうちの少なくともいずれか一方について少なくとも一の金種である金種入力データ（金種入力情報，取引入力情報）の入力と、入力された金種入力データのそれぞれについての入庫であるか出庫であるかの区別データ（区別情報，取引入力情報）の入力と、入力された金種入力データのそれぞれについての数量である数量入力データ（数量入力情報，取引入力情報）の入力とを促す表示を、表示部１７に表示させる。すると、担当者は、操作入力部１６に、これらの情報を入力することになり、この入力が適正である場合に限り、制御部１８は、入力データを確定する確定操作を促す表示を表示部１７に表示させて確定操作を許可する。
【００７０】
これを見た担当者により確定操作が操作入力部１６に入力されると、制御部１８は、上記した金種入力データ、区別データおよび数量入力データを表示部１７に表示させるとともに、先に設定したこの一の入出庫取引の取引識別データに関連付けて、この一の入出庫取引で入力された担当者識別データと、この一の入出庫取引にて入力された上記の金種入力データ、区別データおよび数量入力データとを記憶部１９に記憶する。
【００７１】
そして、制御部１８は、この一の入出庫取引にて入力された金種入力データに束紙幣Ｔが含まれる場合は、含まれる金種の束紙幣Ｔを収納している束収納庫１４を、一旦通常の開閉取引としてその開庫を許可し、対応するロック機構４１によりロックを解除することによって、入力された金種入力データの束紙幣Ｔが収納されている束収納庫１４を開作動可能とするとともに、開作動可能な束収納庫１４の表示灯４０を点灯させる。また、この一の入出庫取引にて入力された金種入力データに棒金Ｂが含まれる場合は、含まれる金種の棒金Ｂを収納している棒金収納庫１５を、一旦通常の開閉取引としてその開庫を許可し、対応するロック機構６８によりロックを解除することによって、入力された金種入力データの棒金Ｂが収納されている棒金収納庫１５を開作動可能とするとともに、開作動可能な棒金収納庫１５の表示灯６５を点灯させる。勿論、束収納庫１４および棒金収納庫１５のうち、入力された金種入力データの貨幣を収納していないもののロックは解除せず、表示灯４０も消灯状態を維持する。
【００７２】
例えば、制御部１８は、この一の入出庫取引にて入力された金種入力データに、一方の束収納庫１４に収納されている束紙幣Ｔが含まれる場合、この一方の束収納庫１４のロックを解除するとともにその表示灯４０を点灯させることになり、その後、この一方の束収納庫１４の現金管理装置本体１２からの引き出しが開始されると、ロータリエンコーダ３８の開閉位相データからこの一方の束収納庫１４の開閉位置を検出することになり、ロータリエンコーダ３８の開閉位相データからこの一方の束収納庫１４が前端位置（所定位置）まで移動したか否かを判断する。
【００７３】
制御部１８は、ロータリエンコーダ３８の開閉位相データに基づき、この一方の束収納庫１４が前端位置まで開庫された正常開動作を検出すると、その後、閉方向の移動開始を検出すると同時に、この一方の束収納庫１４に対して設けられたラインセンサ４４を駆動してラインセンサ４４で閉庫時の貨幣検出反射データの取り込みを、ロータリエンコーダ３８の開閉位相データに基づき、この一方の束収納庫１４が後端位置に閉庫されたことが検出されるまで、行わせる。
【００７４】
他方、ロータリエンコーダ３８の開閉位相データから、この一方の束収納庫１４が前端位置まで開庫されずに後端位置に閉庫された異常開閉動作を検出すると、制御部１８は、表示部１７に、この一方の束収納庫１４の識別表示と、束収納庫１４を前端位置まで開庫してから後端位置に閉庫させるように促す警告表示とを表示させて、この一方の束収納庫１４のロックを再び解除してロータリエンコーダ３８の開閉位相データからこの一方の束収納庫１４が前端位置まで開庫してから後端位置に閉庫されるまで待機する。ロータリエンコーダ３８の開閉位相データに基づき、この一方の束収納庫１４が前端位置まで再開庫された正常開動作を検出すると、上記と同様、その後、閉方向の移動開始を検出すると同時にラインセンサ４４を駆動してラインセンサ４４で閉庫時の貨幣検出反射データの取り込みを行わせる。なお、この異常開閉動作の検出時には、制御部１８は、この一方の束収納庫１４が前端位置まで再開庫された後に後端位置に再閉庫されなければ、上記した表示部１７の警告表示を解除せず、この一方の束収納庫１４が前端位置まで再開庫された後に後端位置に再閉庫されると上記した警告表示を解除する。
【００７５】
そして、一回目の開閉庫の場合および再度の開閉庫の場合のいずれにおいても、この一方の束収納庫１４の前端位置から後端位置に閉庫された正常開閉動作が検出されると、制御部１８は、この一方の束収納庫１４の表示灯４０を消灯し、ラインセンサ４４で検出した閉庫時の貨幣検出反射データから、上記のようにして、この一方の束収納庫１４の各束収納凹部２５に収納された束紙幣Ｔの数量検出データおよび個々の束紙幣Ｔの金種検出データを取得する。取得後、制御部１８は、表示部１７に、上記した金種入力データ、区別データおよび数量入力データを表示させるとともに、合わせて、この一方の束収納庫１４の識別表示と、この一方の束収納庫１４について取得した、数量検出データおよび金種検出データを総合した金種別の数量検出データとを関連付けて表示させる。
【００７６】
加えて、制御部１８は、今回取得した金種別の数量検出データと、前回の入出庫取引時に記憶部１９に記憶されたこの一方の束収納庫１４の金種別の数量検出データとから、この一方の束収納庫１４における増減分となる、今回の一の入出庫取引での、実取引の数量である数量実取引データ（数量実取引情報）および実取引の金種である金種実取引データ（金種実取引情報）を総合した金種別の数量実取引データを割り出す。そして、制御部１８は、この金種別の数量実取引データを、今回の一の入出庫取引で入力された数量入力データと金種入力データとを総合した金種別の数量入力データと照合し、差異が存在したか否かを判定する。つまり、金種別の数量実取引データと、金種別の数量入力データとが一致すれば、差異は存在しないと判定し、それ以外は、差異が発生したと判定する。
【００７７】
差異が存在しなければ、制御部１８は、各束収納凹部２５の束紙幣Ｔの金種検出データと各束収納凹部２５の規定の収納金種とから、対応金種の束収納凹部２５に収納されていない異金種束紙幣Ｔが存在するか否かを判定し、異金種束紙幣Ｔが存在しなければ、今回割り出した金種別の数量実取引データと、今回取得した金種別の数量検出データとを、この一の入出庫取引の取引識別データと関連付けて記憶部１９に記憶し、この一方の束収納庫１４に対する開閉取引が終了したと判断する。
【００７８】
差異が存在しないものの、異金種束紙幣Ｔが存在していると、制御部１８は、表示部１７に、異金種束紙幣Ｔが存在している旨と、この一方の束収納庫１４の識別表示と、異金種束紙幣Ｔが存在している束収納凹部２５の識別表示とを関連付けて、警報として表示させるとともに、再びこの一方の束収納庫１４に対する開庫を許可して、そのロックを対応するロック機構４１により解除することにより、この一方の束収納庫１４を開作動可能とするとともに、その表示灯４０を点灯させる。
【００７９】
このロック解除後、制御部１８は、上記と同様にして、ロータリエンコーダ３８の開閉位相データからこの一方の束収納庫１４の正常開動作を検出すると、その後、閉方向の移動開始を検出すると同時に、この一方の束収納庫１４に対して設けられたラインセンサ４４を駆動して、このラインセンサ４４で閉庫時の貨幣検出反射データの取り込みを、この一方の束収納庫１４が後端位置に閉庫されたことが検出されるまで、行わせる。この閉庫時の貨幣検出反射データから、この一方の束収納庫１４の各束収納凹部２５の束紙幣Ｔの金種検出データを取得する。これを異金種束紙幣Ｔが存在しなくなるまで行う。
【００８０】
他方、この一方の束収納庫１４において、金種別の数量実取引データと金種別の数量入力データとに差異が存在すると、制御部１８は、表示部１７に、この一方の束収納庫１４の識別表示と、金種別の数量実取引データと金種別の数量入力データとが一致しない旨の差異の種類と、金種別の数量実取引データと金種別の数量入力データとから割り出される、取り出す束紙幣Ｔの金種別の数量と装填する束紙幣Ｔの金種別の数量とを含む差異の解消方法とを、関連付けて警報として表示させる。そして、制御部１８は、通常の開閉取引から、通常以外の開閉取引に移行し、再びこの一方の束収納庫１４に対する開庫を許可して、そのロックを対応するロック機構４１により解除することにより、この一方の束収納庫１４を開作動可能とするとともに、その表示灯４０を点灯させる。
【００８１】
ロック解除後、制御部１８は、上記と同様にして、ロータリエンコーダ３８の開閉位相データからこの一方の束収納庫１４の正常開動作を検出すると、その後、閉方向の移動開始を検出すると同時に、この一方の束収納庫１４に対して設けられたラインセンサ４４を駆動して、このラインセンサ４４で閉庫時の貨幣検出反射データの取り込みを行わせる。この閉庫時の貨幣検出反射データから、この一方の束収納庫１４の各束収納凹部２５に収納された束紙幣Ｔの金種別の数量検出データを取得する。
【００８２】
すると、制御部１８は、この通常以外の開閉取引の開庫の直前の、今回の一の入出庫取引の通常の開閉取引にて入力された、この一方の束収納庫１４の各束収納凹部２５の束紙幣Ｔの金種別の数量入力データと、前回の入出庫取引時に記憶部１９に記憶されたこの一方の束収納庫１４の束紙幣Ｔの金種別の数量検出データとから割り出される、この通常以外の開閉取引の開庫の直前の上記した通常の開閉取引後に本来あるべき数量である数量割出データおよび金種である金種割出データを総合した金種別の数量割出データを割り出す。
【００８３】
そして、この金種別の数量割出データと、今回の通常以外の開閉取引の閉庫時の貨幣検出反射データに基づくこの一方の束収納庫１４の束紙幣Ｔの金種別の数量検出データとを照合する。その結果、差異が存在しなければ、制御部１８は、異金種束紙幣Ｔが存在するか否かの判定を含む上記と同様の処理を行い、異金種束紙幣Ｔが存在しない、あるいは異金種束紙幣Ｔが存在しなくなると、直前の上記した通常の開閉取引にて入力された金種別の数量入力データと、今回の通常以外の開閉取引で取得した金種別の数量検出データとを、この一の入出庫取引の取引識別データと関連付けて記憶部１９に記憶し、この一方の束収納庫１４に対する開閉取引が終了したと判断する。他方、差異が存在した場合、制御部１８は、表示部１７に、この一方の束収納庫１４の識別表示と、差異の情報とを関連付けて表示させるとともに、上記と同様に、差異に応じた処理を行う。
【００８４】
なお、この一の入出庫取引にて入力された金種入力データに他方の束収納庫１４に収納されている束紙幣Ｔの金種が含まれている場合、制御部１８は、上記した一方の束収納庫１４と同様の処理を他方の束収納庫１４に対して行うことになる。
【００８５】
また、制御部１８は、この一の入出庫取引にて入力された金種入力データに、例えば、一方の棒金収納庫１５に収納されている棒金Ｂが含まれる場合、この一方の棒金収納庫１５のロックを解除するとともにその表示灯６５を点灯させることになり、その後、この一方の棒金収納庫１５の現金管理装置本体１２からの引き出しが開始されると、ロータリエンコーダ６２の開閉位相データからこの一方の棒金収納庫１５の開閉位置を検出することになり、ロータリエンコーダ６２の開閉位相データからこの一方の棒金収納庫１５が前端位置（所定位置）まで移動したか否かを判断する。
【００８６】
制御部１８は、ロータリエンコーダ６２の開閉位相データに基づき、この一方の棒金収納庫１５が前端位置まで開庫された正常開動作を検出すると、その後、閉方向の移動開始を検出すると同時に、この一方の棒金収納庫１５に対して設けられた複数の磁気センサ７０を駆動してこれら磁気センサ７０で貨幣検出磁気データの取り込みを、ロータリエンコーダ６２の開閉位相データに基づき、この一方の棒金収納庫１５が後端位置に閉庫されたことが検出されるまで、行わせる。
【００８７】
他方、ロータリエンコーダ６２の開閉位相データから、この一方の棒金収納庫１５が前端位置まで開庫されずに後端位置に閉庫された異常開閉動作を検出すると、制御部１８は、表示部１７に、この一方の棒金収納庫１５の識別表示と、棒金収納庫１５を前端位置まで開庫してから後端位置に閉庫させるように促す警告表示とを表示させて、この一方の棒金収納庫１５のロックを再び解除してロータリエンコーダ６２の開閉位相データからこの一方の棒金収納庫１５が前端位置まで開庫してから後端位置に閉庫されるまで待機する。ロータリエンコーダ６２の開閉位相データに基づき、この一方の棒金収納庫１５が前端位置まで再開庫された正常開動作を検出すると、上記と同様、その後、閉方向の移動開始を検出すると同時に、複数の磁気センサ７０を駆動してこれら磁気センサ７０で貨幣検出磁気データの取り込みを行わせる。なお、この異常開閉動作の検出時には、制御部１８は、この一方の棒金収納庫１５が前端位置まで再開庫された後に後端位置に再閉庫されなければ、上記した表示部１７の警告表示を解除せず、この一方の棒金収納庫１５が前端位置まで再開庫された後に後端位置に再閉庫されると上記した警告表示を解除する。
【００８８】
そして、一回目の開閉庫の場合および再度の開閉庫の場合のいずれにおいても、この一方の棒金収納庫１５の前端位置から後端位置に閉庫された正常開閉動作が検出されると、制御部１８は、この一方の棒金収納庫１５の表示灯６５を消灯し、複数の磁気センサ７０で検出した貨幣検出磁気データから、上記のようにして、この一方の棒金収納庫１５の各棒金収納凹部５５に収納された棒金Ｂの数量検出データおよび個々の棒金Ｂの金種検出データを取得する。取得後、制御部１８は、表示部１７に、上記した金種入力データ、区別データおよび数量入力データを表示させるとともに、合わせて、この一方の棒金収納庫１５の識別表示と、この一方の棒金収納庫１５について取得した数量検出データおよび金種検出データを総合した金種別の数量検出データとを関連付けて表示させる。
【００８９】
加えて、制御部１８は、今回取得した金種別の数量検出データと、前回の入出庫取引時に記憶部１９に記憶されたこの一方の棒金収納庫１５の金種別の数量検出データとから、この一方の棒金収納庫１５における増減分となる、今回の一の入出庫取引での、実取引の数量である数量実取引データ（数量実取引情報）および実取引の金種である金種実取引データ（金種実取引情報）を総合した金種別の数量実取引データを割り出す。そして、制御部１８は、この金種別の数量実取引データを、今回の一の入出庫取引で入力された数量入力データと金種入力データとを総合した金種別の数量入力データと照合し、差異が存在したか否かを判定する。つまり、金種別の数量実取引データと金種別の数量入力データとが一致すれば、差異は存在しないと判定し、それ以外は、差異が発生したと判定する。
【００９０】
差異が存在しなければ、制御部１８は、各棒金収納凹部５５の棒金Ｂの金種検出データと各棒金収納凹部５５の規定の収納金種とから、対応金種の棒金収納凹部５５に収納されていない異金種棒金Ｂが存在するか否かを判定し、異金種棒金Ｂが存在しなければ、今回割り出した金種別の数量実取引データと、今回取得した金種別の数量検出データとを、この一の入出庫取引の取引識別データと関連付けて記憶部１９に記憶し、この一方の棒金収納庫１５に対する開閉取引が終了したと判断する。
【００９１】
差異が存在しないものの、異金種棒金Ｂが存在していると、制御部１８は、表示部１７に、異金種棒金Ｂが存在している旨と、この一方の棒金収納庫１５の識別表示と、異金種棒金Ｂが存在している棒金収納凹部５５の識別表示とを関連付けて、警報として表示させるとともに、再びこの一方の棒金収納庫１５に対する開庫を許可して、そのロックを対応するロック機構６８により解除することにより、この一方の棒金収納庫１５を開作動可能とするとともに、その表示灯６５を点灯させる。
【００９２】
このロック解除後、制御部１８は、上記と同様にして、ロータリエンコーダ６２の開閉位相データからこの一方の棒金収納庫１５が前端位置まで移動したか否かを判断し、この一方の棒金収納庫１５が前端位置まで開庫された正常開動作を検出すると、上記と同様、その後、閉方向の移動開始を検出すると同時に、この一方の棒金収納庫１５に対して設けられた複数の磁気センサ７０を駆動して、この複数の磁気センサ７０で貨幣検出磁気データの取り込みを行わせる。この貨幣検出磁気データから、この一方の棒金収納庫１５の各棒金収納凹部５５の棒金Ｂの金種検出データを取得する。これを異金種棒金Ｂが存在しなくなるまで行う。
【００９３】
他方、この一方の棒金収納庫１５において、金種別の数量実取引データと金種別の数量入力データとに差異が存在すると、制御部１８は、表示部１７に、この一方の棒金収納庫１５の識別表示と、金種別の数量実取引データと金種別の数量入力データとが一致しない旨の差異の種類と、金種別の数量実取引データと金種別の数量入力データとから割り出される、取り出す棒金Ｂの金種別の数量と装填する棒金Ｂの金種別の数量とを含む差異の解消方法とを、関連付けて警報として表示させる。そして、制御部１８は、通常の開閉取引から、通常以外の開閉取引に移行し、再びこの一方の棒金収納庫１５に対する開庫を許可して、そのロックを対応するロック機構６８により解除することにより、この一方の棒金収納庫１５を開作動可能とするとともに、その表示灯６５を点灯させる。
【００９４】
ロック解除後、制御部１８は、上記と同様にして、ロータリエンコーダ６２の開閉位相データからこの一方の棒金収納庫１５が前端位置まで移動したか否かを判断し、この一方の棒金収納庫１５が前端位置まで開庫された正常開動作を検出すると、上記と同様、その後、閉方向の移動開始を検出すると同時に、この一方の棒金収納庫１５に対して設けられた複数の磁気センサ７０を駆動して、これら磁気センサ７０で貨幣検出磁気データの取り込みを行わせる。この貨幣検出磁気データから、この一方の棒金収納庫１５に収納された棒金Ｂの金種別の数量検出データを取得する。
【００９５】
すると、制御部１８は、この通常以外の開閉取引の開庫の直前の、今回の一の入出庫取引の通常の開閉取引にて入力された、この一方の棒金収納庫１５の棒金Ｂの金種別の数量入力データと、前回の入出庫取引時に記憶部１９に記憶されたこの一方の棒金収納庫１５の棒金Ｂの金種別の数量検出データとから割り出される、この通常以外の開閉取引の開庫の直前の上記した通常の開閉取引後に本来あるべき数量である数量割出データおよび金種である金種割出データを総合した金種別の数量割出データを割り出す。
【００９６】
そして、この金種別の数量割出データと、今回の通常以外の開閉取引の貨幣検出磁気データに基づくこの一方の棒金収納庫１５の棒金Ｂの金種別の数量検出データとを照合する。その結果、差異が存在しなければ、制御部１８は、異金種棒金Ｂが存在するか否かの判定を含む上記と同様の処理を行い、異金種棒金Ｂが存在しない、あるいは異金種棒金Ｂが存在しなくなると、直前の上記した通常の開閉取引にて入力された金種別の数量入力データと、今回の通常以外の開閉取引で取得した金種別の数量検出データとを、この一の入出庫取引の取引識別データと関連付けて記憶部１９に記憶し、この一方の棒金収納庫１５に対する開閉取引が終了したと判断する。他方、差異が存在した場合、制御部１８は、表示部１７に、この一方の棒金収納庫１５の識別表示と、差異の情報とを関連付けて表示させるとともに、上記と同様に、差異に応じた処理を行う。
【００９７】
なお、この一の入出庫取引にて入力された金種入力データに他方の棒金収納庫１５に収納されている棒金Ｂの金種が含まれている場合、制御部１８は、上記した一方の棒金収納庫１５と同様の処理を他方の棒金収納庫１５に対して行うことになる。
【００９８】
最後に、制御部１８は、両方の束収納庫１４および両方の棒金収納庫１５のうち、この一の入出庫取引にて入力された金種入力データの金種を収納しているものすべてについて、開閉取引が終了したと判断すると、今回の一の入出庫取引が終了したと判断する。
【００９９】
以上に述べた第１実施形態に係る現金管理装置１１によれば、現金管理装置本体１２に対して束収納庫１４をスライド開閉すると、現金管理装置本体１２に固定されたラインセンサ４４が、束収納庫１４の開閉に伴って通過する束紙幣Ｔの上下方向の端部から貨幣検出反射データを取得することになり、制御部１８が、この貨幣検出反射データと、記憶部１９に記憶された数量マスタデータおよび金種マスタデータとを照合して束収納庫１４における束紙幣Ｔの数量検出データおよび金種検出データを取得することになる。同様に、現金管理装置本体１２に対して棒金収納庫１５をスライド開閉すると、現金管理装置本体１２に固定された複数の磁気センサ７０が、棒金収納庫１５の開閉に伴って通過する棒金Ｂの上下方向の端部から貨幣検出磁気データを取得することになり、制御部１８が、この貨幣検出磁気データと、記憶部１９に記憶された数量マスタデータおよび金種マスタデータとを照合して棒金収納庫１５における棒金Ｂの数量検出データおよび金種検出データを取得することになる。よって、他の装置を介在させることなく、任意の場所で、束収納庫１４の束紙幣Ｔの数量検出データおよび金種検出データと、棒金収納庫１５の棒金Ｂの数量検出データおよび金種検出データとを取得できるため、現金管理の厳正化および業務効率の向上を確実に図ることができる。
【０１００】
また、束収納庫１４には束紙幣Ｔが、棒金収納庫１５には棒金Ｂが、いずれも立位状態で収納されるため、束紙幣Ｔおよび棒金Ｂを効率良く収納することができることになり、加えて、束紙幣Ｔの上下方向の端部からラインセンサ４４が貨幣検出反射データを取得するため、立位状態で収納された束紙幣Ｔを効率良く検出することができ、棒金Ｂの上下方向の端部から複数の磁気センサ７０が貨幣検出磁気データを取得するため、立位状態で収納された棒金Ｂを効率良く検出することができる。
【０１０１】
また、制御部１８が、現金管理装置本体１２に固定されたロータリエンコーダ３８が検出する束収納庫１４の開閉位相データに基づいて貨幣検出反射データを補正し、この補正された貨幣検出反射データと数量マスタデータおよび金種マスタデータとを照合して、束収納庫１４の数量検出データおよび金種検出データを取得するため、束収納庫１４の開閉速度に関わらず、束紙幣Ｔの数量検出データおよび金種検出データを検出できる。また、現金管理装置本体１２に固定されたロータリエンコーダ６２が検出する棒金収納庫１５の開閉位相データに基づいて貨幣検出磁気データを補正し、この補正された貨幣検出磁気データと数量マスタデータおよび金種マスタデータとを照合して、棒金収納庫１５の数量検出データおよび金種検出データを取得するため、棒金収納庫１５の開閉速度に関わらず、棒金Ｂの数量検出データおよび金種検出データを検出できる。
【０１０２】
また、手動で束収納庫１４を開庫する場合、束紙幣Ｔが収納される可能性のある領域全てがラインセンサ４４を通過する必要があり、途中で開庫を停止し閉庫したとき等は正確な情報検出ができなくなってしまうことになるが、制御部１８が、開閉位相データに基づき束収納庫１４が所定の前端位置まで開庫されずに閉庫されたときに表示部１７により警告することで、束収納庫１４の束紙幣Ｔが収納される可能性のある領域全てがラインセンサ４４を通過するまで束収納庫１４が開庫されずに閉庫したときに警告することができ、情報検出漏れを防止できる。同様に、制御部１８が、開閉位相データに基づき棒金収納庫１５が所定の前端位置まで開庫されずに閉庫されたときに表示部１７により警告することで、棒金収納庫１５の棒金Ｂが収納される可能性のある領域全てが複数の磁気センサ７０を通過するまで棒金収納庫１４が開庫されずに閉庫したときに警告することができ、情報検出漏れを防止できる。
【０１０３】
また、制御部１８が、対応金種の収納位置に収納されていない異金種束紙幣Ｔを検出したとき、および対応金種の収納位置に収納されていない異金種棒金Ｂを検出したときに、表示部１７により警告するため、異金種束紙幣Ｔおよび異金種棒金Ｂの存在を締上げ処理前に発見でき、操作ミスを未然に防止できる。
【０１０４】
また、制御部１８は、束収納庫１４および棒金収納庫１５の少なくともいずれか一方に対し、入庫および出庫の少なくとも一方を含む一の通常の開閉取引が行われると、数量検出データおよび金種検出データを取得し、これらの数量検出データおよび金種検出データから割り出される、この一の通常の開閉取引の数量実取引データおよび金種実取引データと、この一の通常の開閉取引時に入力された数量入力データおよび金種入力データとを照合し、差異が存在したときに表示部１７により警報するため、操作ミスを速やかに発見し報知することができる。
【０１０５】
また、制御部１８は、通常以外の開閉取引で、束収納庫１４および棒金収納庫１５の少なくともいずれか一方の開庫が許可された場合であって、この開庫が許可されたものが開庫されて閉庫された際に、数量検出データおよび金種検出データを取得し、これら数量検出データおよび金種検出データと、開庫の直前の通常の開閉取引時に入力された数量入力データおよび金種入力データから割り出される直前の通常の開閉取引後にあるべき束紙幣Ｔあるいは棒金Ｂの数量割出データおよび金種割出データとを照合し、差異が存在したときに表示部１７により警報するため、復旧操作ミスを速やかに発見し報知することができる。
【０１０６】
また、操作入力部１６に数量入力データおよび金種入力データが入力されることで、複数の束収納庫１４および複数の棒金収納庫１５のうち、これらに対応するものの開庫を許可するため、数量入力データおよび金種入力データに対応しないものが開庫されてしまうこと等の操作ミスを未然に防止できる。
【０１０７】
次に、本発明の第２実施形態に係る現金管理装置を主に図４および図５を参照して第１実施形態との相違部分を中心に以下に説明する。
【０１０８】
第１実施形態においては、ラインセンサ４４で束収納庫１４の束紙幣Ｔの数量および金種を検出し磁気センサ７０で棒金収納庫１５の棒金Ｂの数量および金種を検出する場合を説明したが、第２実施形態では、束収納庫１４の束紙幣Ｔの各束収納凹部２５毎の数量を反射センサ７４で検出し、棒金収納庫１５の各棒金収納凹部５５の棒金Ｂの有無から数量を反射センサ７５で検出するようになっている。なお、いずれも金種を直接検出することはなく、束紙幣Ｔについては、収納先の束収納凹部２５に設定された金種と判定するようになっており、棒金Ｂについては、収納先の棒金収納凹部５５に設定された金種と判定するようになっている。
【０１０９】
つまり、現金管理装置本体１２の前端部における一方の束収納庫１４の上部位置に、一組の発光素子および受光素子からなる光学反射型の反射センサ（貨幣検出部）７４が、各束収納凹部２５に二つずつ同じ高さに固定されて設けられている。この場合、束紙幣Ｔは結束テープｔの左右方向の位置を必ずしも所定の一側に予め決めて収納する必要はなく、この結束テープｔが左右方向のいずれの側にあっても検出可能となるように、結束テープｔの左右方向の両側位置に合わせて反射センサ７４が配置されている。現金管理装置本体１２の前端部における他方の束収納庫１４の上部位置にも、同様の反射センサ（貨幣検出部）７４が各束収納凹部２５の左右方向所定位置に同じ高さに固定されて設けられている。
【０１１０】
これらの反射センサ７４も、発光素子が下方に発光した光の下方からの反射光を受光素子が受光するようになっている。その結果、上側の束収納庫１４の上部位置に設けられた反射センサ７４は、一方が、真下で前後にスライドする上側の束収納庫１４の一方の束収納凹部２５に収納された束紙幣Ｔの上端部の反射光データである貨幣検出反射データ（貨幣検出情報）を取得することになり、他方が、真下で前後にスライドする上側の束収納庫１４の他方の束収納凹部２５に収納された束紙幣Ｔの上端部の反射光データである貨幣検出反射データ（貨幣検出情報）を取得することになる。下側の束収納庫１４の上部位置に設けられた反射センサ７４も同様である。
【０１１１】
なお、この場合も、検出対象となる束収納庫１４が現金管理装置本体１２に対して前端位置から後端位置まで移動すると、各反射センサ７４は、それぞれ検出対象となる束収納凹部２５の全範囲を検出するようになっている。そして、各反射センサ７４は、束収納庫１４の閉庫に伴って通過する束収納庫１４の束紙幣Ｔの上下方向の端部から貨幣検出反射データを取得する。
【０１１２】
ここで、制御部１８は、反射センサ７４の貨幣検出反射データから、反射率が高くなる結束テープｔと、結束テープｔが巻回されず反射率が低くなる紙幣ｓと、紙幣ｓもなく反射率がさらに低くなる、他の部分（空間、前壁２６、後壁２７および束押さえ板３３）とを区別することになる。また、制御部１８は、隣り合う束紙幣Ｔの結束テープｔと結束テープｔとの間の反射率が低くなる部分を検出することで、隣り合う束紙幣Ｔの間部分を検出する。
【０１１３】
そして、制御部１８は、閉庫時の反射センサ７４の貨幣検出反射データをロータリエンコーダ３８の開閉位相データに基づいて補正し、この補正された閉庫時の貨幣検出反射データと、記憶部１９に記憶された数量マスタデータ（数量マスタ情報）とを照合することで、反射センサ７４で検出した、束収納庫１４の対応する束収納凹部２５内の束紙幣Ｔの数量である数量検出データ（数量検出情報）を取得する。例えば、反射センサ７４は、補正後の閉庫時の貨幣検出反射データの中で、一つの結束テープｔと判断できる、数量マスタデータの結束テープ判断基準光量データ以上の光量があり且つ数量マスタデータの結束テープ判断基準長さデータ以上の連続する長さを有する結束テープ部分を数えて、これを束紙幣Ｔの数量である数量検出データとする。
【０１１４】
現金管理装置本体１２の前端部における一方の棒金収納庫１５の上部位置に、この棒金収納庫１５の棒金収納凹部５５の各列と左右方向の位置を合わせて、各列に一つずつ一組の発光素子および受光素子からなる光学反射型の反射センサ（貨幣検出部）７５が、同じ高さに固定されて設けられている。
【０１１５】
これらの反射センサ７５も、検出方向を下方に向けており、発光素子が下方に発光した光の下方からの反射光を受光素子が受光するようになっている。その結果、上側の棒金収納庫１５の上部位置に設けられた複数の反射センサ７５は、それぞれが、真下で前後にスライドする上側の棒金収納庫１５の同列の棒金収納凹部５５に収納された棒金Ｂの上端部の閉庫時の反射データである貨幣検出反射データ（貨幣検出情報）を順次取得することになる。下側の棒金収納庫１５の上部位置に設けられた複数の反射センサ７５も、同様である。
【０１１６】
なお、この場合も、検出対象となる棒金収納庫１５が現金管理装置本体１２に対して前端位置から後端位置まで移動すると、各反射センサ７５は、検出対象となる同列の全範囲の棒金収納凹部５５を順次検出するようになっている。複数の反射センサ７５は、棒金収納庫１５の閉庫に伴って通過する棒金Ｂの上下方向の端部から貨幣検出反射データを取得する。
【０１１７】
そして、制御部１８は、閉庫時の反射センサ７５の貨幣検出反射データをロータリエンコーダ６２の開閉位相データに基づいて補正し、この補正された貨幣検出反射データと、記憶部１９に記憶された数量マスタデータ（数量マスタ情報）とを照合することで、反射センサ７５で検出した、棒金収納庫１５内の各棒金収納凹部５５の棒金Ｂの数量検出データ（数量検出情報）を取得する。例えば、反射センサ７５は、補正後の貨幣検出磁気データの中で、所定の棒金収納凹部５５の位置に、一つの棒金Ｂと判断できる、数量マスタデータの反射基準データ以上の出力データが数量マスタデータの棒金径基準データ以上連続する検出長さを有する棒金部分を検出し、この棒金部分を計数することで、数量検出データを取得する。
【０１１８】
以上の構成の第２実施形態に係る現金管理装置１１においては、例えば、一の入出庫取引開始にあたって入力された金種入力データに、一方の束収納庫１４に収納されている束紙幣Ｔが含まれる場合、制御部１８は、この一方の束収納庫１４のロックを解除するとともにその表示灯４０を点灯させることになり、その後、ロータリエンコーダ３８の開閉位相データに基づき、この一方の束収納庫１４が前端位置まで開庫された正常開動作を検出すると、その後、閉方向の移動開始を検出すると同時に、この一方の束収納庫１４の各束収納凹部２５に対して設けられた各反射センサ７４を駆動してこれら反射センサ７４で貨幣検出反射データの取り込みを、この一方の束収納庫１４が後端位置に閉庫されたことが検出されるまで、行わせる。他方、異常開閉動作を検出すると、制御部１８は、第１実施形態と同様の処理を行う。
【０１１９】
そして、この一方の束収納庫１４の前端位置から後端位置に閉庫された正常開閉動作が検出されると、制御部１８は、この一方の束収納庫１４の表示灯４０を消灯し、各反射センサ７４で検出した貨幣検出反射データから、上記のようにして、この一方の束収納庫１４の各束収納凹部２５それぞれに収納された束紙幣Ｔの数量検出データを取得する。取得後、制御部１８は、表示部１７に、入出庫取引開始にあたって入力された金種入力データ、区別データおよび数量入力データを表示させるとともに、合わせて、この一方の束収納庫１４の識別表示と、この一方の束収納庫１４について取得した、各束収納凹部２５別（金種別）の束紙幣Ｔの数量検出データとを関連付けて表示させる。
【０１２０】
加えて、制御部１８は、貨幣検出反射データに基づくこの一方の束収納庫１４の各束収納凹部２５別の束紙幣Ｔの数量検出データと、前回の入出庫取引時に記憶部１９に記憶されたこの一方の束収納庫１４の各束収納凹部２５別の数量検出データとから、この一方の束収納庫１４の各束収納凹部２５における増減分となる、今回の一の入出庫取引での各束収納凹部２５別（金種別）の、実取引の数量である数量実取引データ（数量実取引情報）を割り出し、この数量実取引データを、今回の一の入出庫取引で入力された金種別の数量入力データと照合し、差異が存在したか否かを判定する。つまり、一方の束収納凹部２５の数量実取引データとこの一方の束収納凹部２５の金種の数量入力データとが一致し、他方の束収納凹部２５の数量実取引データとこの他方の束収納凹部２５の金種の数量入力データとが一致すれば、差異は存在しないと判定し、それ以外は、差異が発生したと判定する。
【０１２１】
差異が存在しなければ、制御部１８は、今回割り出した各束収納凹部２５別の数量実取引データと、今回取得した各束収納凹部２５別の数量検出データとを、この一の入出庫取引の取引識別データと関連付けて記憶部１９に記憶し、この一方の束収納庫１４に対する開閉取引が終了したと判断する。
【０１２２】
他方、この一方の束収納庫１４において、各束収納凹部２５別の数量実取引データと金種別の数量入力データとに差異が存在すると、制御部１８は、表示部１７に、この一方の束収納庫１４の識別表示と、各束収納凹部２５別の数量実取引データと各束収納凹部２５別の数量入力データとが一致しない旨の差異の種類と、各束収納凹部２５別の数量実取引データと各束収納凹部２５別の数量入力データとから割り出される、取り出す束紙幣Ｔの金種別の数量と装填する束紙幣Ｔの金種別の数量とを含む差異の解消方法とを、関連付けて警報として表示させる。そして、制御部１８は、通常の開閉取引から、通常以外の開閉取引に移行し、再びこの一方の束収納庫１４に対する開庫を許可して、そのロックを解除することにより、この一方の束収納庫１４を開作動可能とするとともに、その表示灯４０を点灯させる。
【０１２３】
ロック解除後、制御部１８は、上記と同様にして、ロータリエンコーダ３８の開閉位相データからこの一方の束収納庫１４の正常開動作を検出すると、上記と同様、その後、閉方向の移動開始を検出すると同時に、この一方の束収納庫１４に対して設けられた各反射センサ７４を駆動して、これら反射センサ７４で貨幣検出反射データの取り込みを行わせて、この貨幣検出反射データから、この一方の束収納庫１４の各束収納凹部２５に収納された束紙幣Ｔの金種別の数量検出データを取得する。
【０１２４】
すると、制御部１８は、この通常以外の開閉取引の開庫の直前の、今回の一の入出庫取引の通常の開閉取引にて入力された、この一方の束収納庫１４の束紙幣Ｔの金種別の数量入力データと、前回の入出庫取引時に記憶部１９に記憶されたこの一方の束収納庫１４の束紙幣Ｔの各束収納凹部２５別（金種別）の数量検出データとから割り出される、この通常以外の開閉取引の開庫の直前の上記した通常の開閉取引後に本来あるべき数量である、各束収納凹部２５別（金種別）の数量割出データを割り出す。そして、この各束収納凹部２５別の数量割出データと、今回の通常以外の開閉取引の貨幣検出反射データに基づくこの一方の束収納庫１４の束紙幣Ｔの各束収納凹部２５別（金種別）の数量検出データとを照合する。その結果、差異が存在しなければ、制御部１８は、直前の上記した通常の開閉取引にて入力された金種別の数量入力データと、今回の通常以外の開閉取引で取得した各束収納凹部２５別の数量検出データとを、この一の入出庫取引の取引識別データと関連付けて記憶部１９に記憶し、この一方の束収納庫１４に対する開閉取引が終了したと判断する。他方、差異が存在した場合、制御部１８は、表示部１７に、この一方の束収納庫１４の識別表示と、差異の情報とを関連付けて表示させるとともに、差異に応じた処理を行う。
【０１２５】
なお、この一の入出庫取引にて入力された金種入力データに他方の束収納庫１４に収納されている束紙幣Ｔの金種が含まれている場合、制御部１８は、上記した一方の束収納庫１４と同様の処理を他方の束収納庫１４に対して行うことになる。
【０１２６】
また、制御部１８は、この一の入出庫取引にて入力された金種入力データに、例えば、一方の棒金収納庫１５に収納されている棒金Ｂが含まれる場合、この一方の棒金収納庫１５のロックを解除するとともにその表示灯６５を点灯させることになり、その後、この一方の棒金収納庫１５の現金管理装置本体１２からの引き出しが開始されると、ロータリエンコーダ６２の開閉位相データからこの一方の棒金収納庫１５の開閉位置を検出することになり、この開閉位相データに基づき、この一方の棒金収納庫１５が前端位置まで開庫された正常開動作を検出すると、その後、閉方向の移動開始を検出すると同時に、この一方の棒金収納庫１５に対して設けられた複数の反射センサ７５を駆動してこれら反射センサ７５で貨幣検出反射データの取り込みを、この一方の棒金収納庫１５が後端位置に閉庫されたことが検出されるまで行わせる。他方、異常開閉動作を検出すると、制御部１８は、第１実施形態と同様の処理を行う。
【０１２７】
そして、この一方の棒金収納庫１５の前端位置から後端位置に閉庫された正常開閉動作が検出されると、制御部１８は、この一方の棒金収納庫１５の表示灯６５を消灯し、各反射センサ７５で検出した貨幣検出反射データから、上記のようにして、この一方の棒金収納庫１５の各棒金収納凹部５５に収納された棒金Ｂの有無を示す数量検出データを取得する。取得後、制御部１８は、表示部１７に、入出庫取引開始にあたって入力された金種入力データ、区別データおよび数量入力データを表示させるとともに、合わせて、この一方の棒金収納庫１５の識別表示と、この一方の棒金収納庫１５について取得した、収納金種が設定された各棒金収納凹部５５それぞれの棒金Ｂの有無を示す数量検出データから割り出される金種別の数量データとを関連付けて表示させる。
【０１２８】
加えて、制御部１８は、貨幣検出反射データに基づくこの一方の棒金収納庫１５の各棒金収納凹部５５の棒金Ｂの有無を示す数量検出データと、前回の入出庫取引時に記憶部１９に記憶されたこの一方の棒金収納庫１５の各棒金収納凹部５５の棒金Ｂの有無を示す数量検出データとから、この一方の棒金収納庫１５における増減分となる、今回の一の入出庫取引での、金種別の実取引の数量である数量実取引データ（数量実取引情報）を割り出し、この数量実取引データを、今回の一の入出庫取引で入力された金種別の数量入力データと照合し、差異が存在したか否かを判定する。つまり、この一方の棒金収納庫１５における金種別の数量実取引データと金種別の数量入力データとが一致すれば、差異は存在しないと判定し、それ以外は、差異が発生したと判定する。
【０１２９】
差異が存在しなければ、制御部１８は、今回割り出したこの一方の棒金収納庫１５の金種別の数量実取引データと、今回取得したこの一方の棒金収納庫１５の各棒金収納凹部５５の棒金Ｂの有無を示す数量検出データとを、この一の入出庫取引の取引識別データと関連付けて記憶部１９に記憶し、この一方の棒金収納庫１５に対する開閉取引が終了したと判断する。
【０１３０】
他方、この一方の棒金収納庫１５において、数量実取引データと数量入力データとに差異が存在すると、制御部１８は、表示部１７に、この一方の棒金収納庫１５の識別表示と、金種別の数量実取引データと金種別の数量入力データとが一致しない旨の差異の種類と、金種別の数量実取引データと金種別の数量入力データとから割り出される、取り出す棒金Ｂの金種別の数量と装填する棒金Ｂの金種別の数量とを含む差異の解消方法とを、関連付けて警報として表示させる。そして、制御部１８は、通常の開閉取引から、通常以外の開閉取引に移行し、再びこの一方の棒金収納庫１５に対する開庫を許可して、そのロックを解除することにより、この一方の棒金収納庫１５を開作動可能とするとともに、その表示灯４０を点灯させる。
【０１３１】
ロック解除後、制御部１８は、上記と同様にして、ロータリエンコーダ６２の開閉位相データからこの一方の棒金収納庫１５の正常開動作を検出すると、上記と同様、その後、閉方向の移動開始を検出すると同時に、この一方の棒金収納庫１５に対して設けられた複数の反射センサ７５を駆動して、これら反射センサ７５で貨幣検出反射データの取り込みを行わせて、この貨幣検出反射データから、この一方の棒金収納庫１５の各棒金収納凹部５５に収納された棒金Ｂの各棒金収納凹部５５別の有無からなる数量検出データを取得する。
【０１３２】
すると、制御部１８は、この通常以外の開閉取引の開庫の直前の、今回の一の入出庫取引の通常の開閉取引にて入力された、この一方の棒金収納庫１５の棒金Ｂの金種別の数量入力データと、前回の入出庫取引時に記憶部１９に記憶されたこの一方の棒金収納庫１５の棒金Ｂの各棒金収納凹部５５別の有無からなる数量検出データとから割り出される、この通常以外の開閉取引の開庫の直前の上記した通常の開閉取引後に本来あるべき数量である、この一方の棒金収納庫１５の金種別の数量割出データを割り出す。そして、この金種別の数量割出データと、今回の通常以外の開閉取引の貨幣検出反射データに基づくこの一方の棒金収納庫１５の棒金Ｂの各棒金収納凹部５５別の有無から割り出される各金種別の数量検出データとを照合する。その結果、差異が存在しなければ、制御部１８は、直前の上記した通常の開閉取引にて入力された金種別の数量入力データと、今回の通常以外の開閉取引で取得したこの一方の棒金収納庫１５の各棒金収納凹部５５別の有無からなる数量検出データとを、この一の入出庫取引の取引識別データと関連付けて記憶部１９に記憶し、この一方の棒金収納庫１５に対する開閉取引が終了したと判断する。他方、差異が存在した場合、制御部１８は、表示部１７に、この一方の棒金収納庫１５の識別表示と、差異の情報とを関連付けて表示させるとともに、差異に応じた処理を行う。
【０１３３】
なお、この一の入出庫取引にて入力された金種入力データに他方の棒金収納庫１５に収納されている棒金Ｂの金種が含まれている場合、制御部１８は、上記した一方の棒金収納庫１５と同様の処理を他方の棒金収納庫１５に対して行うことになる。
【０１３４】
以上に述べた第２実施形態に係る現金管理装置１１によれば、現金管理装置本体１２に対して束収納庫１４をスライド開閉すると、現金管理装置本体１２に固定された反射センサ７４が、束収納庫１４の開閉に伴って通過する束紙幣Ｔの上下方向の端部から貨幣検出反射データを取得することになり、制御部１８が、この貨幣検出反射データと、記憶部１９に記憶された数量マスタデータとを照合して束収納庫１４における束紙幣Ｔの数量検出データを取得することになる。同様に、現金管理装置本体１２に対して棒金収納庫１５をスライド開閉すると、現金管理装置本体１２に固定された複数の反射センサ７５が、棒金収納庫１５の開閉に伴って通過する棒金Ｂの上下方向の端部から貨幣検出反射データを取得することになり、制御部１８が、この貨幣検出反射データと、記憶部１９に記憶された数量マスタデータとを照合して棒金収納庫１５における棒金Ｂの数量検出データを取得することになる。よって、他の装置を介在させることなく、任意の場所で、束収納庫１４の束紙幣Ｔの数量検出データと、棒金収納庫１５の棒金Ｂの数量検出データとを取得できるため、現金管理の厳正化および業務効率の向上を確実に図ることができる。
【０１３５】
また、束紙幣Ｔの上下方向の端部から反射センサ７４が貨幣検出反射データを取得するため、立位状態で収納された束紙幣Ｔを効率良く検出することができ、棒金Ｂの上下方向の端部から反射センサ７５が貨幣検出磁気データを取得するため、立位状態で収納された棒金Ｂを効率良く検出することができる。
【０１３６】
また、制御部１８が、現金管理装置本体１２に固定されたロータリエンコーダ３８が検出する束収納庫１４の開閉位相データに基づいて貨幣検出反射データを補正し、この補正された貨幣検出反射データと数量マスタデータとを照合して、束収納庫１４の数量検出データを取得するため、束収納庫１４の開閉速度に関わらず、束紙幣Ｔの数量検出データを検出できる。また、現金管理装置本体１２に固定されたロータリエンコーダ６２が検出する棒金収納庫１５の開閉位相データに基づいて貨幣検出磁気データを補正し、この補正された貨幣検出磁気データと数量マスタデータとを照合して、棒金収納庫１５の数量検出データを取得するため、棒金収納庫１５の開閉速度に関わらず、棒金Ｂの数量検出データを検出できる。
【０１３７】
また、制御部１８は、束収納庫１４および棒金収納庫１５の少なくともいずれか一方に対し、入庫および出庫の少なくとも一方を含む一の通常の開閉取引が行われると、数量検出データを取得し、この数量検出データから割り出される、この一の通常の開閉取引の数量実取引データと、この一の通常の開閉取引時に入力された数量入力データとを照合し、差異が存在したときに表示部１７により警報するため、操作ミスを速やかに発見し報知することができる。
【０１３８】
また、制御部１８は、通常以外の開閉取引で、束収納庫１４および棒金収納庫１５の少なくともいずれか一方の開庫が許可された場合であって、この開庫が許可されたものが開庫されて閉庫された際に、数量検出データを取得し、この数量検出データと、開庫の直前の通常の開閉取引時に入力された数量入力データから割り出される直前の通常の開閉取引後にあるべき束紙幣Ｔあるいは棒金Ｂの数量割出データとを照合し、差異が存在したときに表示部１７により警報するため、復旧操作ミスを速やかに発見し報知することができる。
【０１３９】
また、操作入力部１６に数量入力データが入力されることで、複数の束収納庫１４および複数の棒金収納庫１５のうち、これらに対応するものの開庫を許可するため、数量入力データに対応しないものが開庫されてしまうこと等の操作ミスを未然に防止できる。
【０１４０】
なお、以上の第２実施形態において、各棒金収納凹部５５の棒金Ｂの有無を検出するために複数の反射センサ７５にかえて棒金収納庫１５の左右方向幅にあわせたラインセンサを設けても良い。
【０１４１】
また、第１，第２の実施形態においては、束紙幣Ｔを入出庫可能に収納する束収納庫１４および棒金Ｂを入出庫可能に収納する棒金収納庫１５の両方を設ける場合を例にとり説明したが、束収納庫１４および棒金収納庫１５のいずれか一方のみを有する現金管理装置としても良い。
【０１４２】
また、第１，第２の実施形態においては、束収納庫１４および棒金収納庫１５を手動で開閉する場合を例にとり説明したが、束収納庫１４および棒金収納庫１５をそれぞれスライド開閉させるモータ（駆動手段）を設け、制御部１８がこのモータの駆動を制御して束収納庫１４および棒金収納庫１５を一定の基準速度でスライド開閉させるようにしても良い。このように構成すれば、不完全開庫等による情報検出漏れを未然に防止でき、また、貨幣検出反射データを補正せずに済む。
【０１４３】
また、第１，第２の実施形態においては、束紙幣Ｔの上端部を上方からラインセンサ４４あるいは反射センサ７４で、棒金Ｂの上端部を上方から磁気センサ７０あるいは反射センサ７５で検出する場合を例にとり説明したが、トレイ２４，５４の底部および収納庫１４，１５の底部を透明部材で形成すれば下端部を下方から検出することも可能である。しかしながら、構造の簡素化の観点からは上端部を上方から検出するのが好ましい。
【符号の説明】
【０１４４】
１１  現金管理装置
１２  現金管理装置本体
１４  束収納庫（収納庫）
１５  棒金収納庫（収納庫）
１６  操作入力部（入力手段）
１７  表示部（警告手段，警報手段）
１８  制御部
１９  記憶部
３８，６２  ロータリエンコーダ（位相検出部）
４４  ラインセンサ（貨幣検出部）
７０  磁気センサ（貨幣検出部）
７４，７５  反射センサ（貨幣検出部）
Ｂ  棒金（収納物）
Ｔ  束紙幣（収納物）
【図１】
0005470071.tif 000002
【図２】
0005470071.tif 000003
【図３】
0005470071.tif 000004
【図４】
0005470071.tif 000005
【図５】
0005470071.tif 000006